(57)【特許請求の範囲】
【請求項１】
上着またはコート等のオーバーウエア、または該オーバーウエアの下に着用可能なベスト等、衣服の本体の一部に各種発熱体を装着して使用する暖房衣服において、
該暖房衣服の少なくとも発熱体収納部の一部を合成樹脂に金属、焼結金属、陶器、磁器等のセラミックからなる赤外線発生効果に優れた特性を有する微細粉末を混練した可撓性シートによって構成し、、
また、後身頃部は遠赤外線発生繊維で立体メッシュ構造をもち布の面方向に連続した間隙を形成してなる両通気性布帛素材によって形成された可撓性シートによって構成し、
該両通気性布帛素材によって形成された可撓性シート基部には一面に木の葉状流線型立体で適宜長さと高さをもった多数の空気拡散用膨出リブを空気の流れ方向に各膨出配置させた熱拡散構造を構成する空気拡散パッドを設け、
前記発熱体収納部に装備した発熱体からの熱線を受けて遠赤外輻射線を発生する構造となし身体への直接的な加温と共に前記空気拡散パッドの空気拡散用防湿リブ間の空気拡散通気路に沿って暖気が流動する構造にしたこと、
を特徴とする暖房衣服。
【請求項２】
前記遠赤外線発生繊維で形成した可撓性シートがダブルラッセル編布、スケルトン不織布は合成樹脂に金属、焼結金属、陶器、磁器等のセラミックからなる遠赤外線材料の微細粉末を混練した複合繊維によって構成された立体メッシュ構造体であること、
を特徴とする請求項１に記載の暖房衣服。
【発明の詳細な説明】
【０００１】
【発明の属する技術分野】
本発明は暖房衣服の改良に係り、殊に上着またはコート等のオーバーウエア、または該オーバーウエアの下に着用可能なベスト等、衣服の一部に各種発熱体を装着して使用する暖房衣服において、熱効率に優れた加熱作用を発揮する暖房衣服に関するものである。
【０００２】
【従来の技術】
スポーツ観戦、冬山登山、釣りや屋外労働など、または自動車ラリーや高温雰囲気労働などにおいて、殊に電源やガス等の供給困難な場所で着用する衣服を暖房する手段としては、従来より懐炉や石油系または固形燃焼物を徐々に燃焼させるもの、或は粉体を徐々に酸化させるようにした化学反応型等の携帯用発熱体、或は小型触媒燃焼発熱器等の発熱体を上着またはコート等のオーバーウエア、または該オーバーウエアの下に着用可能なベスト等の各種衣服の一部に装着して使用するものがある。
【０００３】
【発明が解決しようとする課題】
しかし、この種の暖房衣服の場合、熱源の近傍は暖まるが熱源から離れた位置では充分な加熱作用が得られないため、高カロリーで大きな暖房熱量が得られるものが要望されたり、衣服に多数の発熱体を分散配置することが要望されるなど加熱作用の改善が望まれていた。
【０００４】
本発明は上記問題に鑑みてなされたものであり、上着またはコート等のオーバーウエア、または該オーバーウエアの下に着用可能なベスト等、衣服の本体の一部に各種発熱体を装着して使用する暖房衣服において、発熱体からの熱線を効率よく体感温度を上昇させるように作用する新規構造の暖房衣服を提供することを目的とするものである。
【０００５】
【課題を解決するための手段】
即ち、本発明に係る暖房衣服は、上着またはコート等のオーバーウエア、または該オーバーウエアの下に着用可能なベスト等、衣服の本体の一部に各種発熱体を装着して使用する暖房衣服において、該暖房衣服の少なくとも発熱体収容部の一部を、遠赤外線発生シートまたは遠赤外線発生繊維で形成したシートによって構成し、発熱体収容部に装備した発熱体からの熱線を受けて遠赤外輻射線を発生する構造にしたことを要旨とするものである。
【０００６】
また、上記遠赤外線発生繊維で形成したシートは、ダブルラッセル編布、スケルトン不織布等の立体メッシュ構造体にして、表面積の拡大を図ることを要旨とするものである。
【０００７】
【発明の実施の形態】
以下、本発明に係る暖房衣服の基本構造を示す図１及び図２に従って説明する。
本例は、上着またはコート等のオーバーウエアの下に着用可能なベスト構造の衣服に構成したものであり、ベスト本体１は、身幅方向に延びる熱源取付ベルト部２と、該熱源取付ベルト部２の上端と連続し、着用者の背中部に位置して構成される後身頃部３と、該後身頃部３の頂部に一端を結索して着用者の肩に背負うようにした二本の背負いベルト４，４によって構成されるベスト形状を呈している。
【０００８】
上記熱源取付ベルト部２は、合成樹脂に金属、焼結金属、陶器、磁器等のセラミックからなる遠赤外線発生効果に優れた特性を有するもの（以下、「遠赤外線材料」と称する）の微細粉末を混練した可撓性シートによって構成する。
【０００９】
また上記後身頃部３は、ダブルラッセル編布、スケルトン不織布等の立体メッシュ構造をもち、布の面方向に連続した間隙を形成してなる良通気性布帛素材５によって構成されるもので、該ダブルラッセル編布、スケルトン不織布は、合成樹脂に金属、焼結金属、陶器、磁器等のセラミックからなる遠赤外線発生効果に優れた特性を有するもの（以下、「遠赤外線材料」と称する）の微細粉末を混練した複合繊維によって構成される。
【００１０】
上記両背負いベルト４，４の先端は、それぞれ熱源取付ベルト２の両端部近傍と縫着連繋すると共に、熱源取付ベルト２の両前身頃端部にそれぞれバックル６を介して連結釈放自在になる結索帯７，７の基端部をそれぞれ縫着してなる。
【００１１】
また、良通気性布帛素材５によって構成された後身頃部３には、非伸長性テープ８，８が熱源取付ベルト２の中央部と背負いベルト４，４の基端部間を連繋するように縫着され、該良通気性布帛素材５を新地要させない構造になる。
上記熱源取付ベルト２には、ベスト本体１の後身頃表面側に位置して発熱体収容ポケット９を構成し、縫着してなる。
【００１２】
該発熱体収容ポケット９は、前記熱源取付ベルト部２と同様に、合成樹脂に遠赤外線材料の微細粉末を混練した可撓性シートによ
って構成するもので、該発熱体収容ポケット９には、懐炉や石油系または固形燃焼物を徐々に燃焼させるもの、或は粉体を徐々に酸化させるようにした化学反応型等の携帯用発熱体、高カロリーの熱源として発熱量を調整して温度を変えることができる小型触媒燃焼発熱器等の熱源１０を収容して使用する。
【００１３】
符号１１，１１は熱拡散構造を構成する空気流拡散パッドである。該空気流拡散パッド１１は、可撓性を有するシート状基部１２の一面に、木の葉状流線型立体で適宜長さと高さをもった多数の空気拡散用膨出リブ１３，１３…を該空気の流れ方向に各膨出配置させたものである。
【００１４】
符号２０は、前記本発明のベスト本体１の上に着用する上着またはコート等の一般のオーバーウエアであり、ベスト本体１の襟首部外側はオーバーウエア２０の襟首部内側に位置して固設した連繋部材１７を介して着脱可能な構造にすることもできる。
【００１５】
上記構成になる暖房衣服のベストは、発熱体収容ポケット９に発熱体熱源１０を収容して着用した上から、一般のオーバーウエア２０を着用して暖房用衣服または冷房用衣服として使用するものである。
熱源１０の発熱部が加熱すると、その熱線が発熱体収容ポケット９及びその周辺構造である熱源取付ベルト２、後身頃部３を構成する遠赤外線材料の微細粉末が加熱し、該遠赤外線材料の微細粉末から遠赤外線を輻射熱として放出するようになる。
【００１６】
この遠赤外線は、ベスト着用者の身体の比較的深い部分まで浸透するように作用するため、直接的に身体を加温する作用を発生する。また該部と接触した空気が加熱せしめられて暖気を形成する際も、空気の分子を充分に加熱する効果に優れており、より高い温度の暖気が得られる。
【００１７】
暖気は回りの空気より軽量になるため、ベスト本体１の良通気性布帛素材５の層空間、及びベスト本体１とオーバーウエア２０との空間を肩まで上昇し、この暖気によってオーバーウエア２０の内側が一気に暖められ、身体への直接的な加温と共に、暖房効果を維持する。このとき空気流拡散パッド１１，１１の空気拡散用膨出リブ１３，１３…間の空気拡散通気路に沿って暖気が流動する構造になるから、該暖気流はベスト本体１の身幅方向に拡散し、全体に亙ってオーバーウエア２０の内側が温かくなる。
【００１８】
【実施例】
以下、前述した基本構造に基づき、オーバーウエア２０の内側に熱源を装着した実施例について説明する。
図３は暖房衣服を内側からみた実施例を示すものであり、一部を切欠したものである。
【００１９】
本実施例では、オーバーウエア２０の後身頃２１の内側に位置して略ウエストライン高さ位置に熱源１０を保持する発熱体収容ポケット９が設けられる。該発熱体収容ポケット９及び後身頃２１の裏地材２２は、前述したベスト１の後身頃部３と同様に、ダブルラッセル編布、スケルトン不織布等の立体メッシュ構造をもち、布の面方向に連続した間隙を形成してなる良通気性布帛素材５によって構成されるもので、該ダブルラッセル編布、スケルトン不織布は、合成樹脂に金属、焼結金属、陶器、磁器等のセラミックからなる遠赤外線発生効果に優れた特性を有する遠赤外線材料の微細粉末を混練した複合繊維によって縫製される。
【００２０】
熱源１０の発熱部が加熱すると、その熱線が発熱体収容ポケット９及び後身頃２１を構成する遠赤外線材料の微細粉末が加熱し、該遠赤外線材料の微細粉末から遠赤外線を輻射熱として放出するようになる。
【００２１】
この遠赤外線は、輻射熱として着用者の身体の比較的深い部分まで浸透するように直接作用するため、身体を加温する作用を発生する。また該部と接触した空気が加熱せしめられて暖気を形成する際も、空気の分子を充分に加熱する効果に優れており、より高い温度の暖気が得られる。
【００２２】
暖気は回りの空気より軽量になるため、オーバーウエア２０の裏地材２２を構成する良通気性布帛素材５の層空間を経て着用者の肩まで上昇し、この暖気によってオーバーウエア２０の内側が暖められ、身体への直接的な加温と共に、暖房効果を維持する。
【００２３】
【発明の効果】
以上述べたように、本発明に係る暖房衣服は、上着またはコート等のオーバーウエア、または該オーバーウエアの下に着用可能なベスト等、衣服の本体の一部に各種発熱体を装着して使用する暖房衣服において、該暖房衣服の発熱体収容部を遠赤外線発生シートまたは遠赤外線発生繊維で形成したシートによって構成したことにより、発熱体収容部に装備した発熱体からの熱線を受けて遠赤外輻射線を発生するため、暖房効率が大きく改善され、短時間でオーバーウエアの内部全体を略均一に保温するように作用する特徴を有するものであり、本発明の実施後の効果は極めて大きい。
【図面の簡単な説明】
【図１】本発明に係る暖房衣服の基本構造を示す一部切欠した斜視図である。
【図２】同要部の拡大図である。
【図３】本発明に係る暖房衣服の他の実施例を示す要部斜視図である。
【符号の説明】
１  ベスト本体
２  熱源取付ベルト部
３  後身頃部
４  背負いベルト
５  良通気性布帛素材
６  バックル
７  結索帯
８  非伸長性テープ
９  発熱体収容ポケット
１０  熱源
１１  空気流拡散パッド
１３  空気拡散用膨出リブ
２０  オーバーウエア
２１  後身頃
２２  裏地材
【図１】
0004005696.tif 000002
【図２】
0004005696.tif 000003
【図３】
0004005696.tif 000004